(57)【要約】【課題】ケースの防水性が低下することを防止でき、かつ、ケースの大型化を防止することができる電気接続箱を提供する。【解決手段】電気接続箱１Ａは、ケース２Ａと、該ケース２Ａ内に収容された複数の電気部品と、一端が前記電気部品に接続されかつ他端がケース２Ａに設けられた電線通し口４，５からケース２Ａ外に引き出された複数の電線３と、を有している。また、ケース２Ａには、電線３の他端側を電線通し口４，５に向かって配索する際に該電線３の配索経路を規制する規制部材６Ａの一端が嵌まる有底筒状の規制部材取付部７Ａが設けられている。【選択図】図１
2010098928.tif 000002
【特許請求の範囲】
【請求項１】
ケースと、該ケース内に収容された複数の電気部品と、一端が前記電気部品に接続されかつ他端が前記ケースに設けられた電線通し口から前記ケース外に引き出された複数の電線と、を有する電気接続箱において、
前記電線の他端側を前記電線通し口に向かって配索する際に該電線の配索経路を規制する規制部材の一端が取り付けられる規制部材取付部が、前記ケースに設けられていることを特徴とする電気接続箱。
【請求項２】
前記規制部材取付部が、前記規制部材の一端が嵌まる有底筒状に形成されていることを特徴とする請求項１に記載の電気接続箱。
【請求項３】
前記規制部材取付部を構成する筒状の周壁に、当該規制部材取付部の開口部から底部に向かって延びた少なくとも１つのスリットが設けられていることを特徴とする請求項２に記載の電気接続箱。
【請求項４】
前記規制部材取付部が、前記ケースの外郭を構成する外壁と、該外壁との間に板状に形成された前記規制部材の一端を挟持する二重壁と、で構成されていることを特徴とする請求項１に記載の電気接続箱。
【請求項５】
電気接続箱のケース内に収容された電気部品に接続された電線を、前記ケースに設けられた電線通し口に向かって配索する電線配索方法において、
前記ケースに設けられた有底筒状の規制部材取付部に規制部材の一端を嵌めて該規制部材を前記ケースに取り付け、そして、前記規制部材の表面に前記電線を沿わせながら該電線を配索することを特徴とする電線配索方法。
【請求項６】
電気接続箱のケース内に収容された電気部品に接続された電線を、前記ケースに設けられた電線通し口に向かって配索する電線配索方法において、
前記ケースの外郭を構成する外壁と、該外壁との間に板状の規制部材の一端を挟持する二重壁と、で構成された規制部材取付部に前記規制部材の一端を差し込んで該規制部材を前記ケースに取り付け、そして、前記電線を前記規制部材の内側を通しながら配索することを特徴とする電線配索方法。
【発明の詳細な説明】
【技術分野】
【０００１】
本発明は、自動車のエンジンルーム内に取り付けられる電気接続箱、及び、該電気接続箱の電線配索方法に関するものである。
【背景技術】
【０００２】
自動車には多種多様な電子機器が搭載されている。これら多種多様な電子機器に電力を供給するために、前記自動車には、電源と前記電子機器との間の適宜箇所に、ヒューズやリレー等の電気部品が集約されて構成された電気接続箱が配置されている。
【０００３】
なお、電気接続箱は、ジャンクションブロック、ヒューズブロック、リレーボックス、とも呼ばれる。本明細書では、前述したジャンクションブロック、ヒューズブロック、リレーボックスを、総称して以下電気接続箱と呼ぶ。
【０００４】
図１２は従来の電気接続箱の電線配索方法を説明する説明図である。図１３は図１２中のＤ−Ｄ線に沿った断面図である。図１４は図１３に示された電気接続箱の布線台から外した状態を示す断面図である。図１５は従来の他の電気接続箱の電線配索方法を説明する説明図である。
【０００５】
図１２に示す電気接続箱１０１は、複数の外壁１１１，１１２，１１３，１１４により筒状に形成され、かつ、前記筒状の内側が隔壁１１５により複数の空間に区画されたケース１０２と、隔壁１１５により区画された前記空間に取り付けられた複数のカセットブロック１１６と、このカセットブロック１１６に収容された複数の電気部品（不図示）と、一端が前記電気部品に接続されかつ他端がケース１０２に設けられた電線通し口１０４，１０５からケース１０２外に引き出された複数の電線１０３と、ケース１０２の上面１０２ａに取り付けられるアッパカバー（不図示）と、ケース１０２の下面１０２ｂに取り付けられるロアカバー（不図示）と、を有している。
【０００６】
また、前記電線通し口１０４，１０５からケース１０２外に引き出された複数の電線１０３は、一束に結わえられてワイヤハーネスを構成する。このワイヤハーネスは、所定の部分が車両の所定の位置に固定されるように、所定の長さに形成されることが必要であった。また、ケース１０２の上面１０２ａにアッパカバーを取り付ける際に、ケース１０２とアッパカバーとの間に電線１０３を噛み込まないようにする必要があった。これらのことから、電気接続箱１０１においては、図１２に示すように、複数の電線１０３を電線通し口１０４，１０５に向かって配索する際、布線台１０９を用いることで電線１０３の配索経路を規制していた。
【０００７】
上記布線台１０９は、図１２ないし図１４に示すように、ケース１０２を載置することが可能な台座１０８と、この台座１０８から棒状に立設した複数本のピン１０６と、で構成されている。また、ケース１０２の外壁１１３には、前記ピン１０６を下面１０２ｂ側から上面１０２ａ側に突出させるための貫通穴１０７が設けられている。
【０００８】
前述した布線台１０９を用いて電気接続箱１０１の複数の電線１０３を配索する際は、まず、ケース１０２を台座１０８上に載置しかつ複数のピン１０６を貫通穴１０７からケース１０２の上面１０２ａ側に突出させて、該ケース１０２を布線台１０９に固定する。そして、複数の電線１０３の一端をカセットブロック１１６に収容された各電気部品に接続し、次に、これら電線１０３の他端を図１２に示すようにピン１０６の外側を通して電線通し口１０４，１０５からケース１０２外に引き出すように配索する。こうすることで、複数の電線１０３がケース１０２内の所定の配索経路上に位置付けられて、ワイヤハーネスの長さ即ち各電線１０３の長さが所定の長さに揃えられ、かつ、これら電線１０３の噛み込みが防止される（特許文献１を参照。）。
【０００９】
図１５に示す電気接続箱２０１は、ケース２０２と、複数のカセットブロック１１６と、このカセットブロック１１６に収容された複数の電気部品（不図示）と、一端が前記電気部品に接続されかつ他端が電線通し口１０４，１０５からケース２０２外に引き出された複数の電線１０３と、ケース２０２の上面２０２ａに取り付けられるアッパカバー（不図示）と、ケース２０２の下面２０２ｂに取り付けられるロアカバー（不図示）と、を有している。また、図１５に示された電気接続箱２０１において、前述した図１２ないし図１４に示された電気接続箱１０１と同一構成部分には同一符号を付して説明を省略する。
【００１０】
図１５に示すように、上記ケース２０２には、前記電気接続箱１０１の貫通穴１０７が設けられていた箇所に、隔壁１１５の上端から棒状に立設した規制棒２０７が、隔壁１１５と一体に設けられている。この規制棒２０７は、複数の電線１０３を電線通し口１０４，１０５に向かって配索する際に、前述したピン１０６と同様の役割を果たす。
【特許文献１】特開２００７−６２６９３号公報
【発明の開示】
【発明が解決しようとする課題】
【００１１】
しかしながら、前述した従来の電気接続箱１０１,２０１には、以下に示す問題があった。
【００１２】
即ち、電気接続箱１０１においては、電線１０３の配索経路を規制するために布線台１０９を用いることから、ケース１０２の外壁１１３にピン１０６を突出させるための貫通穴１０７を設けなければならず、該ケース１０２の防水性が低下してしまうという問題があった。また、前述した布線台１０９のような大型の治具を用いるためには、広い作業スペースが必要であるという問題があった。また、電気接続箱２０１においては、電線１０３の配索経路を規制する際に布線台１０９を用いない代わりにケース２０２に規制棒２０７を設けなければならず、ケース２０２が大型化してしまうという問題があった。
【００１３】
したがって、本発明は、ケースの防水性が低下することを防止でき、かつ、ケースの大型化を防止することができる電気接続箱、及び、該電気接続箱の電線配索方法を提供することを目的とする。
【課題を解決するための手段】
【００１４】
上記目的を達成するために、請求項１に記載された発明は、ケースと、該ケース内に収容された複数の電気部品と、一端が前記電気部品に接続されかつ他端が前記ケースに設けられた電線通し口から前記ケース外に引き出された複数の電線と、を有する電気接続箱において、前記電線の他端側を前記電線通し口に向かって配索する際に該電線の配索経路を規制する規制部材の一端が取り付けられる規制部材取付部が、前記ケースに設けられていることを特徴とする電気接続箱である。
【００１５】
請求項２に記載された発明は、請求項１に記載された発明において、前記規制部材取付部が、前記規制部材の一端が嵌まる有底筒状に形成されていることを特徴とするものである。
【００１６】
請求項３に記載された発明は、請求項２に記載された発明において、前記規制部材取付部を構成する筒状の周壁に、当該規制部材取付部の開口部から底部に向かって延びた少なくとも１つのスリットが設けられていることを特徴とするものである。
【００１７】
請求項４に記載された発明は、請求項１に記載された発明において、前記規制部材取付部が、前記ケースの外郭を構成する外壁と、該外壁との間に板状に形成された前記規制部材の一端を挟持する二重壁と、で構成されていることを特徴とするものである。
【００１８】
請求項５に記載された発明は、電気接続箱のケース内に収容された電気部品に接続された電線を、前記ケースに設けられた電線通し口に向かって配索する電線配索方法において、前記ケースに設けられた有底筒状の規制部材取付部に規制部材の一端を嵌めて該規制部材を前記ケースに取り付け、そして、前記規制部材の表面に前記電線を沿わせながら該電線を配索することを特徴とする電線配索方法である。
【００１９】
請求項６に記載された発明は、電気接続箱のケース内に収容された電気部品に接続された電線を、前記ケースに設けられた電線通し口に向かって配索する電線配索方法において、前記ケースの外郭を構成する外壁と、該外壁との間に板状の規制部材の一端を挟持する二重壁と、で構成された規制部材取付部に前記規制部材の一端を差し込んで該規制部材を前記ケースに取り付け、そして、前記電線を前記規制部材の内側を通しながら配索することを特徴とする電線配索方法である。
【発明の効果】
【００２０】
請求項１に記載された発明によれば、前記電線の他端側を前記電線通し口に向かって配索する際に該電線の配索経路を規制する規制部材の一端が取り付けられる規制部材取付部が、前記ケースに設けられているので、前記規制部材の一端を前記規制部材取付部に取り付けることで、電気接続箱の組み立て時にこのケースとカバーとの間に電線を噛み込むことがないように当該電線の配索経路を規制することができる。よって、ケースの防水性を低下させる要因となる従来の電気接続箱の前記貫通穴や、電線の配索時以外には利用することがない従来の電気接続箱の前記規制棒などをケースに設ける必要がなく、そのために、ケースの防水性が低下することを防止でき、かつ、ケースの大型化を防止することができる電気接続箱を提供することができる。
【００２１】
請求項２に記載された発明によれば、前記規制部材取付部が、前記規制部材の一端が嵌まる有底筒状に形成されているので、前記規制部材の一端を前記規制部材取付部に嵌めてケースに取り付けることで、電気接続箱の組み立て時にこのケースとカバーとの間に電線を噛み込むことがないように当該電線の配索経路を規制することができる。よって、ケースの防水性を低下させる要因となる従来の電気接続箱の前記貫通穴や、電線の配索時以外には利用することがない従来の電気接続箱の前記規制棒などをケースに設ける必要がなく、そのために、ケースの防水性が低下することを防止でき、かつ、ケースの大型化を防止することができる電気接続箱を提供することができる。
【００２２】
請求項３に記載された発明によれば、前記規制部材取付部を構成する筒状の周壁に、当該規制部材取付部の開口部から底部に向かって延びた少なくとも１つのスリットが設けられているので、電線の配索時に該電線の張力による応力が規制部材に加えられた場合に、前記応力を分散させることができ、そのために、規制部材取付部や規制部材が折れることを防止できる。
【００２３】
請求項４に記載された発明によれば、前記規制部材取付部が、前記ケースの外郭を構成する外壁と、該外壁との間に板状に形成された前記規制部材の一端を挟持する二重壁と、で構成されているので、板状の前記規制部材の一端を前記外壁と前記二重壁との間に挟んでケースに取り付けることで、電気接続箱の組み立て時にこのケースとカバーとの間に電線を噛み込むことがないように当該電線の配索経路を規制することができる。よって、ケースの防水性を低下させる要因となる従来の電気接続箱の前記貫通穴や、電線の配索時以外には利用することがない従来の電気接続箱の前記規制棒などをケースに設ける必要がなく、そのために、ケースの防水性が低下することを防止でき、かつ、ケースの大型化を防止することができる電気接続箱を提供することができる。また、前記外壁の他に前記二重壁を設けることで、ケースの剛性を向上させることができる。
【００２４】
請求項５に記載された発明によれば、前記ケースに設けられた有底筒状の規制部材取付部に規制部材の一端を嵌めて該規制部材を前記ケースに取り付け、そして、前記規制部材の表面に前記電線を沿わせながら該電線を配索するので、ケースの防水性を低下させる要因となる従来の電気接続箱の前記貫通穴や、電線の配索時以外には利用することがない従来の電気接続箱の前記規制棒などをケースに設けることなく、電気接続箱の組み立て時にケースとカバーとの間に電線を噛み込むことがないように当該電線を所定の配索経路上に位置付けることができる。よって、ケースの防水性が低下することを防止でき、かつ、ケースの大型化を防止することができる。また、前記規制部材を繰り返し利用することができるので、電気接続箱の組み立て工程におけるコストダウンを図ることができる。また、従来の布線台のような大型の治具を用いずに電線を配索することができ、場所を選ばず小さい作業スペースで電気接続箱の組み立てを行うことができる。
【００２５】
請求項６に記載された発明によれば、前記ケースの外郭を構成する外壁と、該外壁との間に板状の規制部材の一端を挟持する二重壁と、で構成された規制部材取付部に前記規制部材の一端を差し込んで該規制部材を前記ケースに取り付け、そして、前記電線を前記規制部材の内側を通しながら配索するので、ケースの防水性を低下させる要因となる従来の電気接続箱の前記貫通穴や、電線の配索時以外には利用することがない従来の電気接続箱の前記規制棒などをケースに設けることなく、電気接続箱の組み立て時にケースとカバーとの間に電線を噛み込むことがないように当該電線を所定の配索経路上に位置付けることができる。よって、ケースの防水性が低下することを防止でき、かつ、ケースの大型化を防止することができる。また、前記規制部材を繰り返し利用することができるので、電気接続箱の組み立て工程におけるコストダウンを図ることができる。また、従来の布線台のような大型の治具を用いずに電線を配索することができ、場所を選ばず小さい作業スペースで電気接続箱の組み立てを行うことができる。
【発明を実施するための最良の形態】
【００２６】
（第１の実施形態）
以下、本発明の第１の実施形態に係る電気接続箱、及び、該電気接続箱の電線配索方法を、図１ないし図３に基づいて説明する。図１は本発明の第１の実施形態に係る電気接続箱を示す斜視図である。図２は図１に示された電気接続箱の電線が配索される前の状態を示す斜視図である。図３は図１中のＡ−Ａ線に沿った断面図である。
【００２７】
本発明の電気接続箱は、自動車のエンジンルームなどに取り付けられて、前記自動車に搭載された多種多様な電子機器に電力を供給するものである。また、本明細書では、ジャンクションブロック、ヒューズブロック、リレーボックスを、総称して以下電気接続箱と呼ぶ。
【００２８】
上記電気接続箱１Ａは、図１及び図２に示すように、ケース２Ａと、このケース２Ａ内に取り付けられた複数のカセットブロック１６と、このカセットブロック１６に収容されたコネクタ、リレー、ヒューズ等の複数の電気部品（不図示）と、これら複数の電気部品同士を予め定められたパターンにしたがって接続するバスバ（不図示）と、一端が前記電気部品に接続されかつ他端がケース２Ａに設けられた電線通し口４，５からケース２Ａ外に引き出された複数の電線３と、ケース２Ａの上面２ａに取り付けられるアッパカバー（不図示）と、ケース２Ａの下面２ｂに取り付けられるロアカバー（不図示）と、を有している。
【００２９】
上記ケース２Ａは、絶縁性の合成樹脂で構成され、周知の射出成型により形成されている。このケース２Ａは、複数の外壁１１，１２，１３，１４により筒状に形成され、かつ、前記筒状の内側が隔壁１５により複数の空間に区画されている。また、上記電線通し口４，５は、外壁１４と、外壁１２とにそれぞれ１つずつ設けられている。これら電線通し口４，５は、外壁１４，１２の上面２ａ側の端部が半円状に切り欠かれて設けられている。
【００３０】
また、上記ケース２Ａには、規制部材６Ａの一端が取り付けられる規制部材取付部７Ａが、電線通し口４の近傍と電線通し口５の近傍との２箇所に設けられている。前記規制部材６Ａは、電気接続箱１Ａの組み立て時にケース２Ａとアッパカバーとの間に電線３を噛み込むことがないように、即ち、ケース２Ａから電線３がはみ出さないように、この電線３の他端側を電線通し口４，５に向かって配索する際に当該電線３のケース２Ａ内における配索経路を規制するものである。また、本実施形態では、規制部材６Ａは、円柱状即ち棒状に形成されている。また、前記規制部材６Ａは、金属で構成されており、当該規制部材６Ａに沿わされる電線３の張力に耐え得る剛性を有している。
【００３１】
上記規制部材取付部７Ａは、図３に示すように、隔壁１５の上面２ａ側の端部から円筒状に突出した周壁７１と、この周壁７１の下面２ｂ側に位置する開口部を塞いだ底部７２と、周壁７１の上面２ａ側に位置する開口部７３と、を有する有底筒状に形成されている。
【００３２】
上記規制部材６Ａは、図３に示すように、その一端が、開口部７３を通されて周壁７１の内側に位置付けられかつ底部７２に当接する格好で規制部材取付部７Ａに嵌められて、この規制部材取付部７Ａに取り付けられる。また、規制部材取付部７Ａに取り付けられた規制部材６Ａを取り外す際には、規制部材６Ａの他端側を把持して規制部材取付部７Ａから離れる方向に引っ張ることで規制部材取付部７Ａから取り外すことができる。
【００３３】
上記複数のカセットブロック１６は、絶縁性の合成樹脂で構成され、周知の射出成型により、前述した複数の電気部品を装着することが可能な格子状に形成されている。
【００３４】
上記複数の電線３は、周知の被覆電線である。これら複数の電線３は、前述した電線通し口４，５からケース２Ａ外に引き出された他端側の部分が一束に結わえられてワイヤハーネスを構成する。
【００３５】
前述した構成の電気接続箱１Ａを組み立てる際には、まず、各種電気部品が取り付けられたカセットブロック１６とバスバとをケース２Ａの内側に取り付ける。そして、図２に示すように、規制部材６Ａの一端を開口部７３から周壁７１の内部に挿入して規制部材取付部７Ａに嵌めて、該規制部材６Ａをケース２Ａに取り付ける。そして、複数の電線３の一端を各種電気部品に接続し、該電線３の他端側を、図１に示すように各規制部材６Ａの電線通し口４，５よりも外側、即ち一対の規制部材６Ａの間を通して当該規制部材６Ａの表面に沿わせながら電線通し口４，５からケース２Ａ外に引き出す。そして、引き出された複数の電線３を、粘着テープや結束バンド等により一束に結わえる。その後、規制部材６Ａを規制部材取付部７Ａから取り外し、ケース２Ａにアッパカバー及びロアカバーを取り付けて電気接続箱１Ａの組み立てが完了する。
【００３６】
前述したように組み立てられた本発明の電気接続箱１Ａは、規制部材６Ａを用いて電線３を配索したことにより、複数の電線３がケース２Ａ内の所定の配索経路上に位置付けられているので、これら複数の電線３が束ねられることにより構成されるワイヤハーネスが予め決められた所定の長さになる。また、規制部材６Ａを用いて電線３を配索したことにより、複数の電線３がケース２Ａからはみ出すことなくケース２Ａ内の所定の配索経路上に位置付けられているので、ケース２Ａにアッパカバーを取り付ける際に、ケース２Ａとアッパカバーとの間に電線３が噛み込まれることを防止できる。また、「電線３が噛み込まれる」とは、電線３が、ケース２Ａの電線通し口４，５以外の縁部とアッパカバーとの間に挟まれることを意味する。
【００３７】
また、本発明の電気接続箱１Ａは、規制部材６Ａの一端を取り付ける有底筒状、即ちケース２Ａの外壁１１，１２，１３，１４を貫通していない有底筒状、の規制部材取付部７Ａがケース２Ａに設けられているので、従来の電気接続箱（図１２ないし図１５を参照。）のようにケース２Ａの防水性を低下させる要因となる前記貫通穴や、電線３の配索時以外には利用することがない前記規制棒などをケース２Ａに設ける必要がなく、そのために、ケース２Ａの防水性が低下することを防止でき、かつ、ケース２Ａの大型化を防止することができる。また、このような本発明の電気接続箱１Ａは、車両要件により、ケース２Ａの高さ方向（下面２ｂから上面２ａに向かう方向）のスペースが十分に確保できない取付箇所に取り付けられる場合に特に有効である。
【００３８】
また、本発明では、規制部材６Ａがケース２Ａに着脱自在であるので、この規制部材６Ａを繰り返し利用することができ、電気接続箱１Ａの組み立て工程におけるコストダウンを図ることができる。また、従来の布線台（図１２ないし図１４を参照。）のような大型の治具を用いずに電線３を配索することができ、場所を選ばず小さい作業スペースで電気接続箱１Ａの組み立てを行うことができる。
【００３９】
また、規制部材６Ａは、電線３の配索時にのみケース２Ａに取り付けられ、電線３の配索後にはケース２Ａから取り外されるので、剛性の高い金属製の物を用いても、電気接続箱１Ａの重量を増加させることがない。
【００４０】
また、前述したように、各種電気部品が取り付けられたカセットブロック１６とバスバとをケース２Ａの内側に取り付けた後に、規制部材６Ａを規制部材取付部７Ａに取り付けるようにすることで、前記カセットブロック１６などをケース２Ａに容易に装着することができる。
【００４１】
（第２の実施形態）
次に、本発明の第２の実施形態に係る電気接続箱を、図４及び図５に基づいて説明する。図４は本発明の第２の実施形態に係る電気接続箱の規制部材取付部を示す斜視図である。図５は図４に示された規制部材取付部の作用効果を説明する説明図である。また、図４及び図５において、前述した第１の実施形態と同一構成部分には同一符号を付して説明を省略する。
【００４２】
本実施形態の規制部材取付部７Ｂは、図４及び図５に示すように、第１の実施形態で説明した規制部材取付部７Ａの構成に加えて、周壁７１に、開口部７３から底部７２に向かって延びた複数のスリット７４が設けられている。また、図４及び図５中の符号１Ｂは電気接続箱であり、符号２Ｂはケースである。
【００４３】
このような構成の規制部材取付部７Ｂは、電線３を電線通し口４，５に向かって配索する際に、該電線３の張力による応力が図５中の矢印Ｂ、矢印Ｃに示すように規制部材６Ａに加えられた場合に、前記応力を分散させることができる。よって、規制部材取付部７Ｂや規制部材６Ａが折れることを防止できる。
【００４４】
（第３の実施形態）
次に、本発明の第３の実施形態に係る電気接続箱を、図６及び図１１に基づいて説明する。図６は本発明の第３の実施形態に係る電気接続箱を示す斜視図である。図７は図６に示された電気接続箱の分解図である。図８は図６中のＢ−Ｂ線に沿った断面図である。図９は図８中のＣ部の拡大図である。図１０は図６に示された電気接続箱の規制部材取付部に他の規制部材が取り付けられた状態を示す斜視図である。図１１は図１０に示された電気接続箱の分解図である。また、図６及び図１１において、前述した第１，２の実施形態と同一構成部分には同一符号を付して説明を省略する。
【００４５】
上記電気接続箱１Ｃは、図６及び図８に示すように、ケース２Ｃと、このケース２Ｃ内に取り付けられた複数のカセットブロック（不図示）と、このカセットブロックに収容されたコネクタ、リレー、ヒューズ等の複数の電気部品（不図示）と、これら複数の電気部品同士を予め定められたパターンにしたがって接続するバスバ（不図示）と、一端が前記電気部品に接続されかつ他端がケース２Ｃに設けられた電線通し口４，５，８からケース２Ｃ外に引き出された複数の電線３と、ケース２Ｃの上面２ａに取り付けられるアッパカバー（不図示）と、ケース２Ｃの下面２ｂに取り付けられるロアカバー９と、を有している。
【００４６】
上記ケース２Ｃは、絶縁性の合成樹脂で構成され、周知の射出成型により形成されている。このケース２Ｃは、ケース２Ｃの外郭を構成する複数の外壁２１，２２，２３，２４と、各外壁２１，２２，２３，２４に設けられた後述の二重壁３１，３２，３３，３４と、により筒状に形成され、かつ、前記筒状の内側が隔壁により複数の空間に区画されている。また、上記電線通し口４，５，８は、外壁２４と、外壁２２と、外壁２１と、にそれぞれ１つずつ設けられている。これら電線通し口４，５，８は、外壁２４，２２，２１の上面２ａ側の端部が半円状に切り欠かれて設けられている。
【００４７】
また、上記ケース２Ｃには、規制部材６１，６２，６３，６４の一端がそれぞれ取り付けられる規制部材取付部４１，４２，４３，４４が４箇所に設けられている。これら規制部材取付部４１，４２，４３，４４は、図７ないし図９に示すように、それぞれ、前述した外壁２１，２２，２３，２４と、これら外壁２１，２２，２３，２４との間に規制部材６１，６２，６３，６４の一端を挟持する二重壁３１，３２，３３，３４と、で構成されている。また、本実施形態では、各規制部材６１，６２，６３，６４は、平面視が長方形の板状に形成されている。また、各規制部材６１，６２，６３，６４の幅は、各外壁２１，２２，２３，２４の幅とほぼ等しく形成されている。また、各規制部材６１，６２，６３，６４の前記一端には、複数のスリット６５が互いに間隔をあけて設けられている。
【００４８】
上記二重壁３１，３２，３３，３４は、図８及び図９に示すように、外壁２１，２２，２３，２４の外側に配されて外壁２１，２２，２３，２４との間に前述した板状の規制部材６１，６２，６３，６４の一端を位置付ける板状の重なり壁部（図８に、外壁２２，２４の外側に配された重なり壁部３２ａ，３４ａを示す。）と、この重なり壁部及び外壁２１，２２，２３，２４の下面２ｂ側の端部同士を連結した連結部（図８に、重なり壁部３２ａ，３４ａ及び外壁２２，２４の端部同士を連結した連結部３２ｂ，３４ｂを示す。）と、で構成されている。即ち、重なり壁部及び外壁２１，２２，２３，２４の上面２ａ側の端部同士は、規制部材６１，６２，６３，６４の一端を受け入れることが可能なように離間している。
【００４９】
さらに、本実施形態では、上記二重壁３１，３２，３３，３４は、前記重なり壁部と前記外壁２１，２２，２３，２４とを連結し、下面２ｂから上面２ａに向かう方向にリブ状に延びた複数の連結リブ６６を構成に有している。複数の連結リブ６６は、互いに間隔をあけて、下面２ｂから上面２ａに向かう方向と直交する方向に沿って並べられている。
【００５０】
上記規制部材６１，６２，６３，６４は、その一端が、外壁２１，２２，２３，２４と二重壁３１，３２，３３，３４との間に差し込まれて、これら外壁２１，２２，２３，２４及び二重壁３１，３２，３３，３４、即ち規制部材取付部４１，４２，４３，４４に挟持される。即ち規制部材取付部４１，４２，４３，４４に取り付けられる。また、この状態で、複数のスリット６５内に複数の連結リブ６６を位置付ける。このことにより、規制部材６１，６２，６３，６４のがたつきが防止される。また、規制部材取付部４１，４２，４３，４４に取り付けられた規制部材６１，６２，６３，６４を取り外す際には、規制部材６１，６２，６３，６４の他端側を把持して規制部材取付部４１，４２，４３，４４から離れる方向に引っ張ることで規制部材取付部４１，４２，４３，４４から取り外すことができる。
【００５１】
また、上記４つの規制部材６１，６２，６３，６４は、それぞれ規制部材取付部４１，４２，４３，４４に取り付けられることで、ケース２Ｃの上面２ａ側に位置する空間の四方、即ちケース２Ｃのほぼ全周、を包囲する。
【００５２】
前述した構成の電気接続箱１Ｃを組み立てる際には、まず、各種電気部品が取り付けられたカセットブロックとバスバとをケース２Ｃの内側に取り付ける。そして、図６に示すように、規制部材６１，６２，６３，６４の一端を外壁２１，２２，２３，２４と二重壁３１，３２，３３，３４との間、即ち規制部材取付部４１，４２，４３，４４、に差し込んで、これら規制部材６１，６２，６３，６４をケース２Ｃに取り付ける。そして、複数の電線３の一端を各種電気部品に接続し、該電線３の他端側を、図６に示すように、規制部材６１，６２，６３，６４の内側を通しながら、即ち規制部材６１，６２，６３，６４で囲まれた部分を通しながら、電線通し口４，５，８からケース２Ｃ外に引き出す。そして、引き出された複数の電線３を、粘着テープや結束バンド等により一束に結わえる。その後、規制部材６１，６２，６３，６４を規制部材取付部４１，４２，４３，４４から取り外し、ケース２Ｃにアッパカバー及びロアカバー９を取り付けて電気接続箱１Ｃの組み立てが完了する。
【００５３】
前述したように組み立てられた本発明の電気接続箱１Ｃは、規制部材６１，６２，６３，６４を用いて電線３を配索したことにより、複数の電線３がケース２Ｃからはみ出すことなくケース２Ｃ内の所定の配索経路上に位置付けられているので、ケース２Ｃにアッパカバーを取り付ける際に、ケース２Ｃとアッパカバーとの間に電線３が噛み込まれることを防止できる。
【００５４】
また、本発明の電気接続箱１Ｃは、規制部材６１，６２，６３，６４の一端を外壁２１，２２，２３，２４と二重壁３１，３２，３３，３４との間に挟持することでこれら規制部材６１，６２，６３，６４の一端を取り付ける規制部材取付部４１，４２，４３，４４、即ちケース２Ｃの外壁２１，２２，２３，２４を貫通していない規制部材取付部４１，４２，４３，４４がケース２Ｃに設けられているので、従来の電気接続箱（図１２ないし図１５を参照。）のようにケース２Ｃの防水性を低下させる要因となる前記貫通穴や、電線３の配索時以外には利用することがない前記規制棒などをケース２Ｃに設ける必要がなく、そのために、ケース２Ｃの防水性が低下することを防止でき、かつ、ケース２Ｃの大型化を防止することができる。また、外壁２１，２２，２３，２４に二重壁３１，３２，３３，３４を設けることで、ケース２Ｃの剛性を向上させることができる。
【００５５】
さらに、上記構成の電気接続箱１Ｃは、二重壁３１，３２，３３，３４が、前記重なり壁部と外壁２１，２２，２３，２４とを連結した複数の連結リブ６６、即ち前記重なり壁部と外壁２１，２２，２３，２４との間の空間を複数の空間に区切る複数の連結リブ６６、を構成に有しているので、図１０及び図１１に示すように、規制部材取付部４１，４２，４３，４４の前記複数の空間の１つに、規制部材６１，６２，６３，６４よりも幅の小さい規制部材６Ｃを取り付けることも可能である。このように、電気接続箱１Ｃは、ケース２Ｃの全周の電線噛み込みを防止する場合は、規制部材６１，６２，６３，６４を用い、電線通し口４，５近傍のみの電線噛み込みを防止する場合は、規制部材６Ｃを規制部材取付部４２，４３，４４の電線通し口４，５の近傍に差し込んで用いることができる。このように、電気接続箱１Ｃは、規制部材６１，６２，６３，６４，６Ｃを汎用的に利用することができる。
【００５６】
なお、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００５７】
【図１】本発明の第１の実施形態に係る電気接続箱を示す斜視図である。
【図２】図１に示された電気接続箱の電線が配索される前の状態を示す斜視図である。
【図３】図１中のＡ−Ａ線に沿った断面図である。
【図４】本発明の第２の実施形態に係る電気接続箱の規制部材取付部を示す斜視図である。
【図５】図４に示された規制部材取付部の作用効果を説明する説明図である。
【図６】本発明の第３の実施形態に係る電気接続箱を示す斜視図である。
【図７】図６に示された電気接続箱の分解図である。
【図８】図６中のＢ−Ｂ線に沿った断面図である。
【図９】図８中のＣ部の拡大図である。
【図１０】図６に示された電気接続箱の規制部材取付部に他の規制部材が取り付けられた状態を示す斜視図である。
【図１１】図１０に示された電気接続箱の分解図である。
【図１２】従来の電気接続箱の電線配索方法を説明する説明図である。
【図１３】図１２中のＤ−Ｄ線に沿った断面図である。
【図１４】図１３に示された電気接続箱の布線台から外した状態を示す断面図である。
【図１５】従来の他の電気接続箱の電線配索方法を説明する説明図である。
【符号の説明】
【００５８】
１Ａ，１Ｂ，１Ｃ  電気接続箱
２Ａ，２Ｂ，２Ｃ  ケース
３  電線
４，５，８  電線通し口
６Ａ，６Ｃ，６１，６２，６３，６４  規制部材
７Ａ，７Ｂ，４１，４２，４３，４４  規制部材取付部
２１，２２，２３，２４  外壁
３１，３２，３３，３４  二重壁
７１  周壁
７２  底部
７３  開口部
７４  スリット
【図１】
2010098928.tif 000003
【図２】
2010098928.tif 000004
【図３】
2010098928.tif 000005
【図４】
2010098928.tif 000006
【図５】
2010098928.tif 000007
【図６】
2010098928.tif 000008
【図７】
2010098928.tif 000009
【図８】
2010098928.tif 000010
【図９】
2010098928.tif 000011
【図１０】
2010098928.tif 000012
【図１１】
2010098928.tif 000013
【図１２】
2010098928.tif 000014
【図１３】
2010098928.tif 000015
【図１４】
2010098928.tif 000016
【図１５】
2010098928.tif 000017